(57)【要約】【課題】操作性のよい携帯用具の繋留部材及び扇風機を提供すること。【解決手段】携帯用具の繋留部材９は、フレーム９１１と、回動軸部９１２ｅを有するヒンジ部９１２と、回動軸部９１２ｅが挿通される軸受部９４３ａを有するゲート９４と、を含むカラビナ部９１と、携帯用具と接続される本体部９２と、回動軸部９１２ｅよりも本体部９２側に形成された当接部９３と、を備える。また、ゲート９４には、軸受部９４３ａよりもヒンジ部９１２の基端側に、当接部９３と当接して回動を規制する被当接部９４３ｃが形成される。【選択図】図８
2020133734.tif 000002
【特許請求の範囲】
【請求項１】
携帯用具の繋留部材であって、
フレームと、回動軸部を有するヒンジ部と、前記回動軸部が挿通される軸受部を有するゲートと、を含むカラビナ部と、
前記携帯用具と接続される本体部と、
前記回動軸部よりも前記本体部側に形成された当接部と、
を備え、
前記ゲートには、前記軸受部よりも前記ヒンジ部の基端側に、前記当接部と当接して回動を規制する被当接部が形成される、
ことを特徴とする繋留部材。
【請求項２】
前記被当接部は、前記ゲートの一端に設けられた二股の第一板状部の一方から突出して設けられ、
前記当接部は、前記第一板状部間に配置される板状の前記ヒンジ部と隣接して配置される、
ことを特徴とする請求項１に記載の繋留部材。
【請求項３】
前記カラビナ部は、側方の一部に突出部が形成された板状のノーズ部を備え、
前記ゲートは、先端部に二股の第二板状部を有し、
前記第二板状部の一方には、前記突出部と当接して前記ゲートの回動を規制する切欠部が形成される、
ことを特徴とする請求項１又は請求項２に記載の繋留部材。
【請求項４】
前記携帯用具は回路基板を備え、
前記本体部からは、前記回路基板に実装された実装部品を支持する収容部が延設される、
ことを特徴とする請求項１乃至請求項３の何れかに記載の繋留部材。
【請求項５】
前記携帯用具は、第一インペラと、前記第一インペラと回転軸の中心を揃えて配置されて前記第一インペラと逆回転する第二インペラと、を備えた扇風機であることを特徴とする請求項１乃至請求項４の何れかに記載の繋留部材。
【請求項６】
フレームと、回動軸部を有するヒンジ部と、前記回動軸部が挿通される軸受部を有するゲートと、を含むカラビナ部と、
携帯用具と接続される本体部と、
前記回動軸部よりも前記本体部側に形成された当接部と、
を有する繋留部材と、
インペラを有する送風ヘッドと、
を備え、
前記ゲートには、前記軸受部よりも前記ヒンジ部の基端側に、前記当接部と当接して回動を規制する被当接部が形成される、
ことを特徴とする扇風機。
【発明の詳細な説明】
【技術分野】
【０００１】
本発明は、繋留部材及び扇風機に関する。
【背景技術】
【０００２】
従来から、様々なものを繋いで着脱する繋留部材として開閉ゲートを備えたカラビナが提案されている。例えば、特許文献１のカラビナ（装置）は、本体に配置されたフックと、本体に取り付けられてこのフックを閉じるように配置されたゲートと、ゲートが開くことを防ぐ枢動ロックと、を有している。ゲートの閉状態においては、ゲートの先端は、ゲート切欠き内に係合する。
【先行技術文献】
【特許文献】
【０００３】
【特許文献１】特許第６２５４６１１号
【発明の概要】
【発明が解決しようとする課題】
【０００４】
しかしながら、特許文献１のカラビナでは、ゲート切欠きがカラビナの内方へ開口するように形成されており、カラビナに繋留させた紐状体等を取り外す際にそのゲート切欠きに引っ掛かり着脱の操作性を低下させる場合がある。
【０００５】
本発明は、以上の点に鑑み、操作性のよい携帯用具の繋留部材及び扇風機を提供することを目的とする。
【課題を解決するための手段】
【０００６】
本発明の繋留部材は、携帯用具の繋留部材であって、フレームと、回動軸部を有するヒンジ部と、前記回動軸部が挿通される軸受部を有するゲートと、を含むカラビナ部と、前記携帯用具と接続される本体部と、前記回動軸部よりも前記本体部側に形成された当接部と、を備え、前記ゲートには、前記軸受部よりも前記ヒンジ部の基端側に、前記当接部と当接して回動を規制する被当接部が形成される、ことを特徴とする。
【０００７】
本発明の扇風機は、フレームと、回動軸部を有するヒンジ部と、前記回動軸部が挿通される軸受部を有するゲートと、を含むカラビナ部と、前記携帯用具と接続される本体部と、前記回動軸部よりも前記本体部側に形成された当接部と、を有する繋留部材と、インペラを有する送風ヘッドと、を備え、前記ゲートには、前記軸受部よりも前記ヒンジ部の基端側に、前記当接部と当接して回動を規制する被当接部が形成される、ことを特徴とする。
【発明の効果】
【０００８】
本発明によると、操作性のよい携帯用具の繋留部材及び扇風機を提供することができる。
【図面の簡単な説明】
【０００９】
【図１】本発明の実施形態に係る扇風機及びスタンドの斜視図である。
【図２】本発明の実施形態に係る扇風機及びスタンドの正面側から見た分解斜視図である。
【図３】本発明の実施形態に係る扇風機及びスタンドの背面側から見た分解斜視図である。
【図４】本発明の実施形態に係る扇風機の第一ケースを内側から見た斜視図である。
【図５】本発明の実施形態に係る扇風機の第二ケースを内側から見た斜視図である。
【図６】本発明の実施形態に係る図１の扇風機のＶＩ−ＶＩ断面における送風ヘッド周辺の拡大図である。
【図７】本発明の実施形態に係る繋留部材の正面側から見た分解斜視図である。
【図８】本発明の実施形態に係る繋留部材の背面側から見た分解斜視図である。
【図９】本発明の実施形態に係る図１の繋留部材のＩＸ−ＩＸ断面におけるゲート周辺の拡大図である。
【発明を実施するための形態】
【００１０】
以下、本発明の実施形態について図を用いて説明する。図１はスタンド４に支持された扇風機１の斜視図である。本実施形態の扇風機１は、小型の携帯用具として形成される。扇風機１は、把持部１１と、送風ヘッド１２とを有する。また、扇風機１は、把持部１１と接続されたカラビナ部９１を有する。扇風機１は、把持部１１により把持してスイッチＳＷを押下することにより、送風ヘッド１２内のインペラ５，６を回転させて、風を起こすことができる。また、扇風機１は、スタンド４の溝部４２１にカラビナ部９１を挿入して、倒立状態で支持させることができる。
【００１１】
扇風機１及びスタンド４の詳細について説明する。図２は扇風機１及びスタンド４を正面側から見た分解斜視図であり、図３は背面側から見た分解斜視図である。また、図４及び図５は、夫々第一ケース２及び第二ケース３を内側から見た斜視図であり、図６は図１に示した扇風機１のＶＩ−ＶＩ断面における送風ヘッド１２周辺の拡大図である。なお、以下の説明では、流路の下流側である第二ケース３側を前、その反対側を後とする。
【００１２】
扇風機１は、流路の上流側に設けられる第一ケース２と、下流側に設けられる第二ケース３とを備える。第一ケース２及び第二ケース３は、内部に第一インペラ５、第二インペラ６、モータ７１，７２、回路基板８２、電池８３、及び繋留部材９を備える。
【００１３】
第一ケース２及び第二ケース３は、図２〜図５に示すように、回路基板８２や電池８３を収容する収容部２１，３１と、収容部２１，３１の上端に接続された略円形のインペラカバー部２２，３２とを有する。収容部２１，３１の下端側には、繋留部材９が収容される。繋留部材９は、複数の螺子等の固定部材３１２により収容部３１側に固定される。収容部２１，３１の下端からは切欠部２１３，３１３を介して繋留部材９の一部が外出しており、扇風機１に被繋留物を繋留支持可能なカラビナ部９１が形成される。
【００１４】
図４に示す収容部２１の開口側の縁部には複数の係合爪２０aが形成され、インペラカバー部２２の開口側の縁部には複数の被係合孔２０ｂが形成される。また、図５に示す収容部３１の開口側の縁部には複数の被係合孔３０ａが形成され、インペラカバー部３２の開口側の縁部には複数の係合爪３０ｂが形成される。第一ケース２と第二ケース３とによる扇風機１の筐体は、係合爪２０ａと被係合孔３０ａとを係合させ、被係合孔２０ｂと係合爪３０ｂとを係合させることで形成することができる。
【００１５】
図４において、インペラカバー部２２は、流路方向の上流側を有底とした略短円筒状に形成される。インペラカバー部２２には、グリル２２１，２２２が設けられる。グリル２２１は、インペラカバー部２２の有底部分の略全体に形成される。グリル２２１は、第一インペラ５及び第二インペラ６の回転軸Ｐ方向と略直交するように形成される。また、グリル２２２は、インペラカバー部２２の円筒側面に相当するグリル２２１の外周側において円環状に配置される。
【００１６】
グリル２２１の中央側には、円環状の周壁を有する略円形状のモータ収容部２３が配置される。モータ収容部２３の中央には、円筒状の軸受２３１が前方側へ立設している。軸受２３１の内部は前後に貫通している。なお軸受２３１の一端側であるインペラカバー部２２の外側は、円板状のカバー２４により閉塞されている（図６も参照）。
【００１７】
各グリル２２１，２２２には、モータ収容部２３から径方向外側に向かって放射状に延設された長尺棒状の枠体２２１ａ，２２２ａが形成される。また、グリル２２１には、モータ収容部２３の下方に延設されるガイド枠２２１ｂが形成される。ガイド枠２２１ｂは、枠体２２１ａと同様に長尺棒状に形成される。収容部２１とインペラカバー部２２との間には、天板部２１１が形成される。ガイド枠２２１ｂは、モータ収容部２３と天板部２１１に亘って設けられる。ガイド枠２２１ｂの内側には溝部２２１ｃが形成されており、この溝部２２１ｃ内にはモータ７１と回路基板８２とを接続する配線ケーブル８１１が収容される（図６も参照）。なお、図６では配線ケーブル８１１（８１２）と、回路基板８２又はモータ７１（７２）とを直結する接続部の図示は省略している。
【００１８】
モータ収容部２３とガイド枠２２１ｂとの接続部には、配線ケーブル８１１を支持する係合部２３２が形成される。係合部２３２には、溝部２２１ｃの上端から上方へ立設する突起部２３２ａが形成される。突起部２３２ａは、溝部２２１ｃの左右両側に設けられる。
【００１９】
また、溝部２２１ｃを形成する壁部の一部には、略矩形状の切欠部２２１ｄが形成される。天板部２１１には、溝部２２１ｃの下端から前方に延設された切欠部２１１ａが形成される。また、天板部２１１には、切欠部２１１ａの両前端に段部２１１ｂが形成され、この段部２１１ｂには前方へ突出した係合突起２１１ｃが形成される。
【００２０】
また、第二ケース３側も同様に、図５において、インペラカバー部３２も流路方向の下流側を有底とした略短円筒状に形成される。インペラカバー部３２には、インペラカバー部３２の有底部分の略全体に形成されたグリル３２１が設けられる。グリル３２１は、回転軸Ｐ方向と略直交するようにグリル２２１と対向して形成される（図６も参照）。グリル３２１の略中央側には、円環状の周壁を有する略円形状のモータ収容部３３が配置される。モータ収容部３３の中央には、円筒状の軸受２３１が後方側へ立設している。軸受３３１の内部は前後に貫通している。なお軸受３３１の一端側であるインペラカバー部３２の外側は、円板状のカバー３４により閉塞されている（図６も参照）。
【００２１】
グリル３２１には、モータ収容部３３から径方向外側へ向かって放射状に延設された長尺棒状の枠体３２１ａが形成される。また、グリル３２１には、モータ収容部３３の下方に延設されるガイド枠３２１ｂが形成される。ガイド枠３２１ｂは、枠体３２１ａと同様に長尺棒状に形成される。収容部３１とインペラカバー部３２との間には、天板部３１１が形成される。ガイド枠３２１ｂは、モータ収容部３３と天板部３１１に亘って設けられる。ガイド枠３２１ｂの内側には溝部３２１ｃが形成されており、この溝部３２１ｃ内にはモータ７２と回路基板８２とを接続する配線ケーブル８１２が収容される（図６も参照）。
【００２２】
第二ケース３側についても、モータ収容部３３とガイド枠３２１ｂとの接続部には、配線ケーブル８１２を支持する係合部３３２が形成される。係合部３３２には、溝部３２１ｃの上端において前方から上方へ立設する突起部３３２ａが形成される。また、図３に示す天板部３１１にも、溝部３２１ｃの下端から後方に延設された切欠部３１１ａが形成される。天板部３１１には、天板部２１１と同様に、切欠部３１１ａの両後端に段部３１１ｂが形成され、この段部３１１ｂには後方へ突出した係合突起３１１ｃが形成される。
【００２３】
配線ケーブル８１１及び配線ケーブル８１２は、略同様の形状に形成され、対向して配置される。図２及び図３に示すように、配線ケーブル８１１，８１２は、上下方向の長尺状に形成されており、モータ７１，７２側の一端側に形成されたＴ字状のジャック部８１１ａ，８１２ａと、他端側に形成されたＴ字板状の係合部８１１ｂ，８１２ｂとを有する。係合部８１１ｂ，８１２ｂの左右端側には、前後に貫通する係合孔８１１ｃ，８１２ｃが形成される。また、配線ケーブル８１１，８１２のジャック部８１１ａ，８１２ａと係合部８１１ｂ，８１２ｂとの間には、左右に矩形状に拡幅した拡幅部８１１ｄ，８１２ｄが形成される。
【００２４】
Ｔ字状のジャック部８１１ａの左右両端は、係合部２３２における突起部２３２ａにより係合支持される。また、係合部８１１ｂは、係合突起２１１ｃを係合孔８１１ｃに挿通することで、段部２１１ｂに収容支持させることができる。第二ケース３側についても、ジャック部８１２ａの左右両端は、係合部３３２における突起部３３２ａにより係合支持される。係合部８１２ｂは、係合突起３１１ｃを係合孔８１２ｃに挿通することで、段部３１１ｂに収容支持させることができる。
【００２５】
各モータ７１，７２は、全体が略短円柱状に形成されており、配線ケーブル８１１，８１２を介して回路基板８２から駆動電力を供給される。モータ７１はモータ収容部２３に収容され、モータ７２はモータ収容部３３に収容される。
【００２６】
第一インペラ５は、有底円筒状の第一ハブ５１と、第一ハブ５１の外周壁から放射状に設けられた複数の第一羽根５２とを有する。第一ハブ５１は、前方側に円形平板状の底部５１１を有する。図３に示すように、第一ハブ５１の内部には、後方へ突出した円筒状の軸受部５１１ａが形成される。図６に示すように、第一ハブ５１内にはモータ７１が収容され、軸受部５１１ａにはモータ７１の回転軸７１１が固定される。
【００２７】
また、本実施形態では、第一インペラ５に５枚の第一羽根５２が形成される。第一羽根５２は、正面視反時計回りに回転して扇風機１の後方から前方方向へ送風することができる。第一羽根５２は、図６のＶＩ−ＶＩ断面図に示すように、前端縁５２１が底部５１１よりもやや後方に位置するように形成される。第一羽根５２の後端縁５２２は、第一ハブ５１の後端縁５１２よりやや前方に位置するように形成される。また、前端縁５２１と後端縁５２２は、回転軸Ｐの略直交平面上であって、互いが略平行となるように形成される。第一インペラ５は、第一インペラ５の後端縁５２２と、グリル２２１との間隙がグリル２２１の外径縁側へ亘って略平行となるように形成されており、第一インペラ５の外径を大きくすることができる。したがって、第一インペラ５が吸気して前方へ送る空気の流量を大きくすることができる。
【００２８】
第二インペラ６は、有底円筒状の第二ハブ６１と、第二ハブ６１の外周壁から放射状に設けられた複数の第二羽根６２とを有する。第二ハブ６１は、後方側に円形平板状の底部６１１を有する。図２に示すように、第二ハブ６１の内部には、前方へ突出した円筒状の軸受部６１１ａが形成される。図６に示すように、第二ハブ６１内にはモータ７２が収容され、軸受部６１１ａにはモータ７２の回転軸７２１が固定される。
【００２９】
また、本実施形態では、第二インペラ６に７枚の第二羽根６２が形成される。第二羽根６２は、正面視時計回りに回転して扇風機１の後方から前方方向へ送風することができる。第二羽根６２の前端縁６２１は、回転軸Ｐ側である第二ハブ６１側から径方向外側へ向かって放射状に第一インペラ５側へ緩やかに湾曲傾斜している。第二羽根６２の基端側における前端縁６２１は、第二ハブ６１の前端縁６１２と接続される（図２も参照）。第二羽根６２の後端縁６２２は、第二ハブ６１の底部６１１よりもやや前方側において第二ハブ６１と接続される。後端縁６２２は、第二ハブ６１側から径方向外側へ向かって放射状に第一インペラ５側へ緩やかに傾斜している。したがって、図６の側面視において、第二羽根６２の後端縁６２２と、第一羽根５２の前端縁５２１との間隙は、回転軸Ｐ側から各インペラ５，６の径方向外側へ向かうに従い徐々に狭くなるように形成される。また、第二羽根６２のグリル３２１側の前端縁６２１は、グリル３２１と第二インペラ６との間の間隙が略平行となるように形成される（図６参照）。
【００３０】
また、第二インペラ６は、第一インペラ５よりも小径に形成される。第一ケース２と第一インペラ５との間に形成される間隙（第一インペラ５の径方向外側の間隙）は、第二ケース３と第二インペラ６との間に形成される間隙（第二インペラ６の径方向外側の間隙）よりも狭く形成される。
【００３１】
図３のＢ部拡大図及び図６に示すように、第二ハブ６１の底部６１１の後面には、略円環状に突出したボス６１１ｂが形成される。ボス６１１ｂは、第二インペラ６の回転軸Ｐ上に設けられる。
【００３２】
第二ケース３は、左側面に開口部３１４を有する。また、第二ケース３は、正面にスイッチＳＷが露出される円形の開口部３１５を有する。
【００３３】
回路基板８２は、左右方向に長尺の矩形板状に形成される。回路基板８２の後方側の左側縁には、実装部品であるＵＳＢ端子用のレセプタクル８２１が設けられている。レセプタクル８２１には開口部３１４を介して外部からジャックを挿入させることができる。また、回路基板８２の前面側にはプッシュブタン式のスイッチＳＷが設けられる。
【００３４】
図７は繋留部材９の正面側から見た分解斜視図であり、図８は繋留部材９の背面側から見た分解斜視図である。また、図９は、図１の扇風機１のゲート９４周辺のＩＸ−ＩＸ断面図である。
【００３５】
繋留部材９は、カラビナ部９１と、扇風機１のケース２，３に対して固定される本体部９２とを有する。繋留部材９は、繊維強化プラスチックにより形成することができる。繊維材料としては、例えばガラス繊維、炭素繊維或いは母材と異なる樹脂繊維を用いることができる。
【００３６】
カラビナ部９１は、背面視略Ｊ字状に形成されたフレーム９１１と、ヒンジ部９１２とを有する。カラビナ部９１は、フレーム９１１内に形成される収容空間Ｓ内に、図示しない紐状体等の任意の被繋留物を掛けて、ゲート９４を閉じることにより被繋留物を繋留させることができる。
【００３７】
フレーム９１１は断面視略円形に形成される。フレーム９１１の先端に形成されるノーズ部９１３は、ヒンジ部９１２と対向して配置される。図８に示すように、フレーム９１１の湾曲部９１１ｂには、突起部９１１ａが形成される。突起部９１１ａは、湾曲部９１１ｂの後方面側から略山型板状に突出している。
【００３８】
ノーズ部９１３の先端における前方側及び後方側には、切欠部９１３ａ，９１３ｂが形成される。ノーズ部９１３は、切欠部９１３ａ，９１３ｂにより、先端側の前面及び後面を互いに略平行面とした略厚板状に形成される。また、一方の切欠部９１３ａには後側方に突出した突出部９１３ｃが形成される。突出部９１３ｃは、収容空間Ｓよりも外方の一部に形成される。突出部９１３ｃの外周面の一部は、ノーズ部９１３の湾曲した外周面と連続して形成される。また、ノーズ部９１３の先端面９１３ｄは、カラビナ部９１の外側から内側（収容空間Ｓ側）へ向かって下方（すなわちヒンジ部９１２から遠ざかる方向）へ傾斜している。
【００３９】
ヒンジ部９１２の基端側は略円柱状に形成されており、本体部９２と接続される。ヒンジ部９１２の先端側は厚板状に形成される。ヒンジ部９１２の先端面９１２ａは、前述の先端面９１３ｄとは逆に、カラビナ部９１の外側から内側（収容空間Ｓ側）へ向かって上方（すなわちノーズ部９１３から遠ざかる方向）へ傾斜している。先端面９１２ａの左右の両端にはヒンジ部９１２の軸方向に対して略垂直な端面である縁部９１２ｂ，９１２ｃが形成される（図８参照）。また、先端面９１２ａの縁部９１２ｃ側には凹湾曲状の切欠部９１２ｄが形成される。切欠部９１２ｄは、前後に亘って切り欠かれている。さらに、ヒンジ部９１２の先端面９１２ａ側における前面及び後面には、短円柱状に前後に立設した回動軸部９１２ｅが形成される。
【００４０】
本体部９２は、全体が略板状に形成される。本体部９２の下方には、カラビナ部９１のフレーム９１１の基端側と、ヒンジ部９１２の基端側とが接続される。本体部９２の中央側には図２等に示した電池８３の下端側の一部を収容する電池収容部９２１が形成される。電池収容部９２１は、前方側へ突出した湾曲板状に形成される。本体部９２の前面側には、電池収容部９２１の左右に亘ってリブ部９２１ａが延設されている。
【００４１】
電池収容部９２１の左右両側には複数の固定孔９２２が形成される。各固定孔９２２には、図３に示した固定部材３１２が挿通されて、本体部９２を第二ケース３側へ固定することができる。
【００４２】
本体部９２の左上端からは上方へ向かって延設された収容部９２３が形成される。収容部９２３は、扇風機１の前方左側へ開口した略矩形枠状に形成される。収容部９２３には、天板部９２３ａ及び底板部９２３ｂの内面に亘って延設された略Ｌ字状のリブ部９２３ｃが形成される。リブ部９２３ｃは、互いに平行となるように上下の２箇所に設けられる。
【００４３】
また、本体部９２のカラビナ部９１側であって、電池収容部９２１の左右の両側には、カラビナ部９１の収容空間Ｓ側へ向かうように窪んだ溝部９２４が形成される。溝部９２４は、第二ケース３の下端縁に設けられた係合突起３１６（図５参照）と係合して、繋留部材９を第二ケース３に対して位置決めさせることができる。
【００４４】
繋留部材９は、ヒンジ部９１２と、本体部９２との間に、後方へ突出した当接部９３を有する（図８参照）。当接部９３は、回動軸部９１２ｅよりもヒンジ部９１２の基端側である本体部９２側に配置される。当接部９３はヒンジ部９１２と隣接している。
【００４５】
ゲート９４は、下方を有底とした円筒状に形成され、フレーム９１１と略同径の外周径を有する。ゲート９４は、上方の一端側に回動部９４１を有し、下方の他端側に先端部９４２を有する。回動部９４１には二股の板状部９４３，９４４（第一板状部）が形成され、先端部９４２にも二股の板状部９４５，９４６（第二板状部）が形成される。
【００４６】
回動部９４１における板状部９４３，９４４には、回動軸部９１２ｅが挿通される軸受部９４３ａ，９４４ａが形成される。板状部９４３，９４４の内面には、軸受部９４３ａ，９４４ａから上方へ向かって延設された溝部９４３ｂ，９４４ｂが形成される。各溝部９４３ｂ，９４４ｂは、板状部９４３，９４４の上端側へ向かうに従って徐々に深くなるように形成される。したがって、回動軸部９１２ｅを溝部９４３ｂ，９４４ｂを介して軸受部９４３ａ，９４４ａにガイドさせ、ゲート９４をヒンジ部９１２に対して容易に組み付けることができる。
【００４７】
また、一方の板状部９４３の収容空間Ｓ側には、上方へ突出した被当接部９４３ｃが形成される。被当接部９４３ｃは、ゲート９４をヒンジ部９１２に組み付けた際に、軸受部９４３ａ，９４４ａよりもヒンジ部９１２の基端側に配置される。被当接部９４３ｃの上端面は、収容空間Ｓ側へ向かうに従って徐々に高くなるように傾斜している。
【００４８】
図９に示すように、ゲート９４内には、上方を開口させた中空部９４７が形成される。中空部９４７は、底部へ向かって内経が徐々に縮径するように形成される。中空部９４７の底部には、上方へ突出した係合突起９４７ａが形成される。中空部９４７の開口部は、板状部９４３と板状部９４４との間に形成される。
【００４９】
図８及び図９に示されるように、ゲート９４の下端側の板状部９４５，９４６の間には、略平坦な傾斜端面９４２ａが形成される。傾斜端面９４２ａは、カラビナ部９１の収容空間Ｓ側へ向かって下方へ傾斜している。また、一方側の板状部９４５の収容空間Ｓとは反対の外側には、切欠部９４５ａが形成される。ゲート９４の閉状態において切欠部９４５ａと突出部９１３ｃとは当接して（図９の破線部参照）、ゲート９４がノーズ部９１３に対して収容空間Ｓよりも外側（図９の右方側）へ開き過ぎないよう規制することができる。
【００５０】
また、ゲート９４は、ヒンジ部９１２に対して弾発部材９５により閉方向に付勢されている。図９に示すように、弾発部材９５は、長尺板状のガイド板９５１と、ガイド板９５１の下端の一部を巻回するコイルばね９５２とを含む。ガイド板９５１の上端は、切欠部９１２ｄに係合し、ガイド板９５１の下端側は、中空部９４７内に配置される。また、ガイド板９５１は、中央側の屈曲部９５１ａにおいて収容空間Ｓ側へ屈曲している。
【００５１】
コイルばね９５２の下端は、係合突起９４７ａに係合される。コイルばね９５２の上端は、屈曲部９５１ａと当接してガイド板９５１を上方へ付勢している。したがって、ガイド板９５１は、中空部９４７内へ落下することなく、ガイド板９５１の一端側を切欠部９１２ｄへ係合させている。コイルばね９５２が中空部９４７の内周面９４７ｂ又は係合突起９４７ａを弾発力により閉方向へ押すことにより、ゲート９４を閉状態に付勢することができる。
【００５２】
図９に示すように、ゲート９４が閉状態のとき、傾斜端面９４２ａは先端面９１３ｄと当接し、切欠部９４５ａは突出部９１３ｃと当接する。また、ゲート９４が閉状態のとき、被当接部９４３ｃは当接部９３に当接する。これにより、ゲート９４が収容空間Ｓの外側方向へ回動し過ぎることを規制することができる。また、ゲート９４が閉状態のとき、ゲート９４は、ヒンジ部９１２及びノーズ部９１３と略同軸となる。
【００５３】
使用者がゲート９４を収容空間Ｓ側へ付勢すると、ゲート９４は、弾発部材９５の弾発力に抗して回動軸部９１２ｅを中心に回動し、図９の二点鎖線に示す開状態とすることができる。ゲート９４を開状態とすることで、使用者は被繋留物を収容空間Ｓ内に繋留させたり、収容空間Ｓ内から外したりすることができる。また、本実施形態の繋留部材９は、ノーズ部９１３の先端面９１３ｄを平坦に傾斜させており、被繋留物を収容空間Ｓから外す際にノーズ部９１３に引っ掛かることなくカラビナ部９１から容易に外すことができる。
【００５４】
次にスタンド４について説明する。図２等に示すスタンド４は、側面視において略Ｌ字板状に形成され、載置面と接地する接地部４１と、扇風機１を支持する支持部４２とを有する。
【００５５】
接地部４１は略矩形板状に形成される。接地部４１の外周縁側は平板状に形成され、接地部４１の中央側は載置面から離間する上方へ窪むように湾曲している。図３に示すように、接地部４１の下面には緩衝部材等により形成された接地突起４１１が形成される。
【００５６】
支持部４２は、接地部４１の前端に、後方にやや傾斜して接続される。支持部４２は、正面視において上方に開口した略Ｕ字枠状に形成される。支持部４２の対向する内縁側にはＵ字状の溝部４２１が形成される。溝部４２１の下端側には、スタンド４を上下に貫通させる開口部４２２が形成される（図３参照）。
【００５７】
図２のＡ部拡大図に示すように、溝部４２１の下端側における内面４２１ａには、カラビナ部９１の突起部９１１ａと係合する係合部４２３が形成される。係合部４２３は、上下に延設された二個の傾斜突起４２３ａと、傾斜突起４２３ａとの間に形成される係合溝４２３ｂとを有する。傾斜突起４２３ａは、溝部４２１の縁部から開口部４２２側へ亘って上下に形成される。また、傾斜突起４２３ａは、下方へ向かって溝部４２１の内面４２１ａから徐々に突出するように傾斜している。
【００５８】
係合溝４２３ｂは、溝部４２１の上方側へ開口している。係合溝４２３ｂの底部は、溝部４２１の内面４２１ａよりも低く窪んでいる。また、係合溝４２３ｂ内の下方の端部４２３ｂ１は、係合溝４２３ｂに係合させた突起部９１１ａの一部を当接させてカラビナ部９１を支持することができる。
【００５９】
このように、スタンド４を構成すると、カラビナ部９１を溝部４２１内に挿入した図１の状態において、カラビナ部９１の突起部９１１ａを係合溝４２３ｂ内に係合（不図示）させることができる。このとき、傾斜突起４２３ａは下方へ向かって突出するように傾斜しているため、カラビナ部９１のフレーム９１１は溝部４２１内に挿入することで傾斜突起４２３ａにより挟圧される。したがって、扇風機１をスタンド４に支持させると、突起部９１１ａ及び係合溝４２３ｂにより左右へ搖動することを防ぐとともに、傾斜突起４２３ａの狭圧力により扇風機１を確実に挟持させることができる。
【００６０】
以上、本実施形態で説明した扇風機１は、第一インペラ５及び第二インペラ６を備え、第二インペラ６側に第二インペラ６と間隙を設けて配置され、第二インペラ６の回転軸Ｐの中心側から径方向外側へ向かうに従い第一インペラ５側へ傾斜したグリル３２１を備える。また、第二インペラ６における羽根のグリル３２１側の端縁は、回転軸Ｐの中心側から径方向外側に向かうに従い第一インペラ５側へ傾斜させた。
【００６１】
扇風機１は、互いに逆回転する第一インペラ５及び第二インペラ６を有しており、少ない消費電力と空間で力強い送風を実現することができる。また、第二インペラ６の第二ハブ６１には、第一インペラ５の第一ハブ５１と対向するようにボス６１１ｂを設けたため、扇風機１を使用している最中に第一ケース２や第二ケース３を撓むような負荷があっても第一インペラ５と第二インペラ６の羽根（第一羽根５２，第二羽根６２）同士が接触してしまうことを防止することができる。したがって、扇風機１は、屋外において持ち歩いて使用する等の場面においても携帯性と実用性の両方を備えることができる。
【００６２】
また、本実施形態では、第一インペラ５の第一羽根５２と、第二インペラ６の第二羽根６２は、奇数枚設けたため、回転のバランスを良好に保ちモータ７１，７２への負荷を低減等することができる。また、第一インペラ５のモータ７１は第一ケース２側に固定し、第二インペラ６のモータ７２は第二ケース３に固定したため、配線ケーブル８１１，８１２を前後の外側へ配置することができ、各インペラ５，６やモータ７１，７２同士の距離を縮めて扇風機１全体を小型にすることができる。
【００６３】
また、繋留部材９の本体部９２の一部は、回路基板８２の実装面側の一部を覆うように配置され、回路基板８２に実装されたレセプタクル８２１を支持する収容部９２３を形成した。そのため、ＵＳＢケーブルの抜き差しで生じるレセプタクル８２１に対する負荷が、収容部９２３にも分散されて回路基板８２の実装面への負荷を低減することができる。
【００６４】
また、カラビナ部９１は、ゲート９４の閉状態のときに、ゲート９４の切欠部９４５ａとノーズ部９１３の突出部９１３ｃとが当接するとともに、ゲート９４の被当接部９４３ｃとヒンジ部９１２側の当接部９３とが当接する構成とした。携帯可能な様々な用具にカラビナ構造を設けようとする場合、金属等の強固な材料により形成することもできるが重量やコストの増加が想定される。一方、カラビナ構造を安価な材料で作ろうとすると、例えばプラスチック等ではヒンジ部９１２とノーズ部９１３との離間方向の応力歪みによってノーズ部９１３とゲート９４の係合状態が外れ、ゲート９４が意図せず収容空間Ｓと反対側へ回動してしまうことも想定される。しかし、本実施形態のカラビナ部９１は、被当接部９４３ｃと当接部９３を設けて、ヒンジ部９１２側においてもゲート９４の回動を規制したため、ゲート９４が意図せず開くことを防止できる。
【００６５】
以上、本発明の実施形態を説明したが、この実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。実施形態やその変形は、発明の範囲や要旨に含まれるとともに特許請求の範囲に記載された発明とその均等の範囲に含まれる。
【符号の説明】
【００６６】
１          扇風機                ２          第一ケース
３          第二ケース            ４          スタンド
５          第一インペラ          ６          第二インペラ
９          繋留部材              １１        把持部
１２        送風ヘッド            ２０a      係合爪
２０ｂ      被係合孔              ２１        収容部
２２        インペラカバー部      ２３        モータ収容部
２４        カバー                ３０ａ      被係合孔
３０ｂ      係合爪                ３１        収容部
３２        インペラカバー部      ３３        モータ収容部
３４        カバー                ４１        接地部
４２        支持部                ５１        第一ハブ
５２        第一羽根              ６１        第二ハブ
６２        第二羽根              ７１，７２  モータ
８２        回路基板              ８３        電池
９１        カラビナ部            ９２        本体部
９３        当接部                ９４        ゲート
９５        弾発部材              ２１１      天板部
２１１ａ    切欠部                ２１１ｂ    段部
２１１ｃ    係合突起              ２１３      切欠部
２２１      グリル                ２２１ａ    枠体
２２１ｂ    ガイド枠              ２２１ｃ    溝部
２２１ｄ    切欠部                ２２２      グリル
２２２ａ    枠体                  ２３１      軸受
２３２      係合部                ２３２ａ    突起部
３１１      天板部                ３１１ａ    切欠部
３１１ｂ    段部                  ３１１ｃ    係合突起
３１２      固定部材              ３１３      切欠部
３１４      開口部                ３１５      開口部
３１６      係合突起              ３２１      グリル
３２１ａ    枠体                  ３２１ｂ    ガイド枠
３２１ｃ    溝部                  ３３１      軸受
３３２      係合部                ３３２ａ    突起部
４１１      接地突起              ４２１      溝部
４２１ａ    内面                  ４２２      開口部
４２３      係合部                ４２３ａ    傾斜突起
４２３ｂ    係合溝                ４２３ｂ１  端部
５１１      底部                  ５１１ａ    軸受部
５１２      後端縁                ５２１      前端縁
５２２      後端縁                ６１１      底部
６１１ａ    軸受部                ６１１ｂ    ボス
６１２      前端縁                ６２１      前端縁
６２２      後端縁                ７１１      回転軸
７２１      回転軸                ８１１      配線ケーブル
８１１ａ    ジャック部            ８１１ｂ    係合部
８１１ｃ    係合孔                ８１１ｄ    拡幅部
８１２      配線ケーブル          ８１２ａ    ジャック部
８１２ｂ    係合部                ８１２ｃ    係合孔
８１２ｄ    拡幅部                ８２１      レセプタクル
９１１      フレーム              ９１１ａ    突起部
９１１ｂ    湾曲部                ９１２      ヒンジ部
９１２ａ    先端面                ９１２ｂ    縁部
９１２ｃ    縁部                  ９１２ｄ    切欠部
９１２ｅ    回動軸部              ９１３      ノーズ部
９１３ａ    切欠部                ９１３ｂ    切欠部
９１３ｃ    突出部                ９１３ｄ    先端面
９２１      電池収容部            ９２１ａ    リブ部
９２２      固定孔                ９２３      収容部
９２３ａ    天板部                ９２３ｂ    底板部
９２３ｃ    リブ部                ９２４      溝部
９４１      回動部                ９４２      先端部
９４２ａ    傾斜端面              ９４３      板状部
９４３ａ    軸受部                ９４３ｂ    溝部
９４３ｃ    被当接部              ９４４      板状部
９４４ａ    軸受部                ９４４ｂ    溝部
９４５      板状部                ９４５ａ    切欠部
９４６      板状部                ９４７      中空部
９４７ａ    係合突起              ９４７ｂ    内周面
９５１      ガイド板              ９５１ａ    屈曲部
９５２      コイルばね
Ｐ          回転軸                Ｓ          収容空間
ＳＷ        スイッチ
【図１】
2020133734.tif 000003
【図２】
2020133734.tif 000004
【図３】
2020133734.tif 000005
【図４】
2020133734.tif 000006
【図５】
2020133734.tif 000007
【図６】
2020133734.tif 000008
【図７】
2020133734.tif 000009
【図８】
2020133734.tif 000010
【図９】
2020133734.tif 000011